(57)【要約】【課題】発光部の発光形態に基づいて、後処理ユニットの状態を認識できる。【解決手段】本発明の画像形成装置１００は、画像形成ユニット１と、画像読取ユニット２と、後処理ユニット４と、制御部５とを備える。後処理ユニット４は、画像形成ユニット１と画像読取ユニット２との間に、画像形成ユニット１に対して着脱自在に配置される。後処理ユニット４は、発光部４１を備える。制御部５は、後処理ユニット４の状態に応じて、発光部４１の発光形態を決定する。【選択図】図１
2018060116.tif 000002
【特許請求の範囲】
【請求項１】
画像形成部と、画像読取部と、シート後処理装置と、制御部とを備え、
前記シート後処理装置は、前記画像形成部と前記画像読取部との間に、前記画像形成部に対して着脱自在に配置され、
前記シート後処理装置は、発光部を備え、
前記制御部は、前記シート後処理装置の状態に応じて、前記発光部の発光形態を決定する、画像形成装置。
【請求項２】
前記シート後処理装置が前記画像形成部に対して引き出された場合に、前記発光部は、前記画像形成部と前記画像読取部と前記シート後処理装置とで囲まれる空間を照射する、請求項１に記載の画像形成装置。
【請求項３】
前記シート後処理装置は、ステープラーを備え、
前記制御部は、前記ステープラーの状態に応じて、前記発光部の発光色、点滅、点灯又は消灯を決定する、請求項１又は請求項２に記載の画像形成装置。
【請求項４】
前記ステープラーは、針有りステープルと針無しステープルとを実行可能に構成され、
前記ステープラーの状態は、前記針有りステープルを行う設定であるか、前記針無しステープルを行う設定であるか、及びステープルを行わない設定であるかの少なくとも１つを含む、請求項３に記載の画像形成装置。
【請求項５】
前記シート後処理装置の状態は、前記ステープラー内の針の残量がゼロであるか否か、前記シート後処理装置内に記録媒体が有るか否か、及び前記シート後処理装置が引き出されているか否かの少なくとも１つを含む、請求項３又は請求項４に記載の画像形成装置。
【請求項６】
前記発光部は、光源と、前記光源から照射される光を導く複数の導光部とを備え、
前記複数の導光部のうち、
一方の導光部は、前記画像形成部と前記画像読取部と前記シート後処理装置とで囲まれる空間を照射し、
他方の導光部は、前記画像形成装置の外部に向けて光を照射する、請求項１から請求項５のいずれか１項に記載の画像形成装置。
【発明の詳細な説明】
【技術分野】
【０００１】
本発明は、画像形成装置に関する。
【背景技術】
【０００２】
特許文献１に記載の画像形成装置は、装置本体、後処理装置、ステープルカートリッジ、及び光源を備える。装置本体は、胴内排出部を有する。後処理装置は、胴内排出部に収納位置と引き出し位置との間で変位自在に配置される。ステープルカートリッジは、後処理装置において用紙搬送方向の後端側の側面に配置される。光源は、後処理装置において用紙搬送方向の後端側の側面に配置され、ステープルカートリッジを照らす。
【先行技術文献】
【特許文献】
【０００３】
【特許文献１】特開２０１１−５３２９８号公報
【発明の概要】
【発明が解決しようとする課題】
【０００４】
しかしながら、特許文献１に記載の画像形成装置では、光源はステープルカートリッジを照らすものの、ユーザーが後処理装置の状態を認識できない。
【０００５】
本発明は、上記課題に鑑みてなされたものであり、ユーザーがシート後処理装置の状態を認識できる画像形成装置を提供することを目的としている。
【課題を解決するための手段】
【０００６】
本発明の画像形成装置は、画像形成部と、画像読取部と、シート後処理装置と、制御部とを備える。前記シート後処理装置は、前記画像形成部と前記画像読取部との間に、前記画像形成部に対して着脱自在に配置される。前記シート後処理装置は、発光部を備える。前記制御部は、前記シート後処理装置の状態に応じて、前記発光部の発光形態を決定する。
【発明の効果】
【０００７】
本発明の画像形成装置によれば、ユーザーがシート後処理装置の状態を認識できる。
【図面の簡単な説明】
【０００８】
【図１】本発明の実施形態に係る画像形成装置の第１の構成を示す図である。
【図２】本発明の実施形態に係る画像形成装置の第２の構成を示す図である。
【図３】本発明の実施形態に係る後処理ユニットを示す斜視図である。
【図４】後処理ユニットに配置された発光板を示す斜視図である。
【図５】（ａ）は、発光部の構成の一例を示す図である。（ｂ）は、発光部の構成の他の一例を示す図である。
【図６】制御部の処理を示すフローチャートである。
【発明を実施するための形態】
【０００９】
以下、本発明の実施形態について、図面（図１〜図６）を参照しながら説明する。なお、図中、同一又は相当部分については同一の参照符号を付して説明を繰り返さない。
【００１０】
まず、図１を参照して、本発明の実施形態に係る画像形成装置１００について説明する。図１は、画像形成装置１００の第１の構成を示す図である。第１の構成では、後処理ユニットは、画像形成ユニットに装着されている。図１に示すように、画像形成装置１００は、複合機である。
【００１１】
画像形成装置１００は、画像形成ユニット１、画像読取ユニット２、原稿搬送ユニット３、後処理ユニット４、及び制御部５を備える。
【００１２】
画像形成ユニット１は、用紙に画像を形成する。画像形成ユニット１は、例えば、いわゆる「電子写真方式」によって用紙に画像を形成する。用紙は、「記録媒体」の一例に相当する。画像形成ユニット１は、「画像形成部」に相当する。
【００１３】
画像形成ユニット１は、操作表示部１１を備える。操作表示部１１は、例えば、タッチパネル１１１を備える。タッチパネル１１１は、ＬＣＤ（Ｌｉｑｕｉｄ  Ｃｒｙｓｔａｌ  Ｄｉｓｐｌａｙ）及びタッチセンサーを備える。タッチパネル１１１は、種々の情報を表示する。また、タッチパネル１１１は、ユーザーからの操作を受け付ける。
【００１４】
画像読取ユニット２は、原稿の画像を読み取る。画像読取ユニット２は、例えば、ＣＩＳ（Ｃｏｎｔａｃｔ  Ｉｍａｇｅ  Ｓｅｎｓｏｒ）ユニットを備え、ＣＩＳユニットが原稿の画像を読み取る。画像読取ユニット２は、「画像読取部」に相当する。
【００１５】
原稿搬送ユニット３は、原稿を画像読取ユニット２に搬送する。原稿搬送ユニット３は、いわゆるＡＤＦ（Ａｕｔｏ  Ｄｏｃｕｍｅｎｔ  Ｆｅｅｄｅｒ）を構成する。
【００１６】
後処理ユニット４は、画像形成ユニット１によって画像が形成された用紙に対して、後処理を行う。本実施形態では、後処理ユニット４は、いわゆる、ステープラー４４を備え、ステープル処理を行う。また、ステープラー４４は、針有りステープルと針無しステープルとを実行可能に構成されている。後処理ユニット４は、「シート後処理装置」に相当する。後処理ユニット４は、矢印Ｆの示す方向に用紙を搬送する。
【００１７】
後処理ユニット４は、発光部４１を備える。発光部４１は、発光色、点滅、点灯及び消灯を変更することができる。
【００１８】
制御部５は、プロセッサー５Ａ、及び記憶部５Ｂを備える。プロセッサー５Ａは、例えばＣＰＵ（Ｃｅｎｔｒａｌ  Ｐｒｏｃｅｓｓｉｎｇ  Ｕｎｉｔ）を備える。記憶部５Ｂは、半導体メモリーのようなメモリーを備え、ＨＤＤ（Ｈａｒｄ  Ｄｉｓｋ  Ｄｒｉｖｅ）を備えてもよい。記憶部５Ｂは、制御プログラムを記憶している。
【００１９】
制御部５は、後処理ユニット４の状態に応じて、発光部４１の発光形態を決定する。具体的には、制御部５は、ステープラー４４の状態に応じて、発光部４１の発光色、点滅、点灯又は消灯を決定する。後処理ユニット４の状態は、針有りステープルを行う設定であるか、針無しステープルを行う設定であるか、及びステープルを行わない設定であるかを含む。
【００２０】
例えば、制御部５は、後処理ユニット４の状態に応じて、以下に示すように、発光部４１の発光色、点滅、点灯又は消灯を決定する。
針有りステープルを行う設定である場合：赤色で点灯。
針無しステープルを行う設定である場合：黄色で点灯。
ステープルを行わない設定である場合：青色で点灯。
【００２１】
以上、図１を参照して説明したように、本実施形態では、後処理ユニット４の状態に応じて、制御部５が発光部４１の発光形態を決定する。よって、ユーザーは、発光部４１の発光形態に基づいて、後処理ユニット４の状態を認識できる。
【００２２】
また、図１を参照して説明したように、本実施形態では、後処理ユニット４は、ステープラー４４を備える。また、ステープラー４４の状態に応じて、制御部５は発光部４１の発光色、点滅、点灯又は消灯を決定する。なお、よって、ユーザーは、発光部４１の発光色、点滅、点灯又は消灯に基づいて、ステープラー４４の状態を認識できる。
【００２３】
更に、図１を参照して説明したように、本実施形態では、後処理ユニット４の状態は、針有りステープルを行う設定であるか、針無しステープルを行う設定であるか、又はステープルを行わない設定であるかを含む。また、後処理ユニット４の状態に応じて、制御部５は発光部４１の発光色、点滅、点灯及び消灯を決定する。よって、ユーザーは、発光部４１の発光色、点滅、点灯及び消灯に基づいて、針有りステープルを行う設定であるか、針無しステープルを行う設定であるか、又はステープルを行わない設定であるかを認識できる。
【００２４】
次に、図２を参照して、画像形成装置１００の別の構成について説明する。図２は、画像形成装置１００の第２の構成を示す図である。第２の構成では、後処理ユニット４は、画像形成ユニット１に対して引き出されている。画像形成装置１００は、排出部１２を更に備える。
【００２５】
排出部１２は、画像が形成された用紙を外部に排出する。図１に示すように、後処理ユニット４が装着されている場合には、排出部１２は、用紙を後処理ユニット４に排出する。一方、図２に示すように、後処理ユニット４が画像形成ユニット１に対して引き出されている場合には、画像形成ユニット１、画像読取ユニット２、及び後処理ユニット４で囲まれた空間６が形成される。また、後処理ユニット４が引き出されている場合には、排出部１２は、用紙を空間６に排出する。
【００２６】
空間６は、画像形成ユニット１、画像読取ユニット２、及び後処理ユニット４で囲まれているため、外光が入射し難い。すなわち、空間６が暗いため、空間６に排出された用紙をユーザーが確認し難い。
【００２７】
制御部５は、後処理ユニット４の状態に応じて、発光部４１の発光形態を決定する。具体的には、制御部５は、後処理ユニット４の状態に応じて、発光部４１の発光色、点滅、点灯又は消灯を決定する。後処理ユニット４の状態は、後処理ユニット４が画像形成ユニット１に対して引き出されているか否かを更に含む。
【００２８】
図２に示すように、後処理ユニット４が画像形成ユニット１に対して引き出されている場合には、発光部４１は、空間６を照射する。具体的には、制御部５が、後処理ユニット４が引き出されていると判定した場合に、空間６を照射するように発光部４１を発光する。なお、画像形成ユニット１は、後処理ユニット４が引き出し位置にあるか否かを検出するセンサーを備える。このセンサーの検出結果に基づいて、制御部５は、後処理ユニット４が引き出されているか否かを判定する。
【００２９】
例えば、制御部５が、後処理ユニット４が画像形成ユニット１に対して引き出されていると判定した場合には、制御部５は、発光部４１を白色で点灯する。更に、発光部４１を白色で点灯してから所定期間経過した場合には、制御部５は、発光部４１を白色で点滅する。所定期間は、例えば５分である。
【００３０】
以上、図１及び図２を参照して説明したように、本実施形態では、後処理ユニット４が画像形成ユニット１に対して引き出されている場合に、発光部４１は、画像形成ユニット１と画像読取ユニット２と後処理ユニット４とで囲まれる空間６を照射する。よって、空間６が明るくなるため、空間６での作業性を向上できる。例えば、空間６に排出された用紙をユーザーが確認し易くなる。
【００３１】
また、図１及び図２を参照して説明したように、本実施形態では、後処理ユニット４が画像形成ユニット１に対して引き出された状態で所定期間が経過した場合に、制御部５は、発光部４１を白色で点滅する。よって、後処理ユニット４が引き出された状態で所定期間が経過したことをユーザーが確認できる。
【００３２】
次に、図１〜図４を参照して、後処理ユニット４について説明する。図３は、本発明の実施形態に係る後処理ユニット４を示す斜視図である。図４は、後処理ユニット４に配置された発光板を示す斜視図である。図３に示すように、後処理ユニット４は、給送口４２、及び排出トレイ４３を更に備える。
【００３３】
給送口４２には、排出部１２から用紙が供給される。後処理ユニット４は、矢印Ｆの示す方向に用紙を搬送する。排出トレイ４３には、ステープル処理が行われた用紙の束が排出され、載置される。
【００３４】
発光部４１は、発光板４１１及び発光板４１２を備える。図３及び図４に示すように、発光板４１１及び発光板４１２は、後処理ユニット４における用紙の搬送方向の後端側に配置される。また、発光板４１１及び発光板４１２は、後処理ユニット４における用紙の幅方向の一方側端部に配置される。具体的には、ユーザーが操作表示部１１を操作するときに、発光板４１１及び発光板４１２は、画像形成装置１００におけるユーザーに近接する側の側面に配置される。なお、発光板４１１及び発光板４１２は、「導光部」の一部に相当する。
【００３５】
発光板４１１及び発光板４１２は、例えば、矩形板状に形成された導光板である。また、発光板４１１は、画像形成装置１００の外部に向けて光を照射する。一方、発光板４１２は、空間６に向けて光を照射する。
【００３６】
また、後処理ユニット４の状態に応じて、制御部５が発光板４１１及び発光板４１２の発光形態を決定する。
【００３７】
以上、図１〜図４を参照して説明したように、本実施形態では、発光板４１１は、画像形成装置１００の外部に向けて光を照射する。また、後処理ユニット４の状態に応じて、制御部５が発光板４１１の発光形態を決定する。よって、ユーザーは、発光板４１１の発光形態に基づいて、後処理ユニット４の状態を容易に認識できる。
【００３８】
また、図１〜図４を参照して説明したように、本実施形態では、後処理ユニット４が引き出されている場合に、発光板４１２は、空間６に向けて光を照射する。よって、空間６での作業性を更に向上できる。
【００３９】
次に、図５を参照して、発光部４１の構成について説明する。図５（ａ）は、発光部４１の構成の一例を示す図である。図５（ｂ）は、発光部４１の構成の他の一例を示す図である。
【００４０】
図５（ａ）に示すように、発光部４１は、発光板４１１、及び発光板４１２に加えて、ＬＥＤ（Ｌｉｇｈｔ  Ｅｍｉｔｔｉｎｇ  Ｄｉｏｄｅ）４１３、及びＬＥＤ４１４を更に備える。ＬＥＤ４１３は、発光板４１１に光を照射する。発光板４１１は、ＬＥＤ４１３からの光によって発光する。後処理ユニット４の状態に応じて、制御部５がＬＥＤ４１３の発光形態を決定する。具体的には、後処理ユニット４の状態に応じて、制御部５はＬＥＤ４１３の発光色、点滅、点灯及び消灯を決定する。ＬＥＤ４１３の発光形態に対応して、発光板４１１の発光形態が決定する。
【００４１】
また、ＬＥＤ４１４は、発光板４１２に光を照射する。発光板４１２は、ＬＥＤ４１４からの光によって発光する。後処理ユニット４の状態に応じて、制御部５がＬＥＤ４１４の発光形態を決定する。具体的には、後処理ユニット４の状態に応じて、制御部５はＬＥＤ４１４の発光色、点滅、点灯及び消灯を決定する。ＬＥＤ４１４の発光形態に対応して、発光板４１２の発光形態が決定する。
【００４２】
以上、図１〜図５（ａ）を参照して説明したように、制御部５はＬＥＤ４１３及びＬＥＤ４１４の発光色、点滅、点灯及び消灯を決定する。また、ＬＥＤ４１３から出射された光によって発光板４１１が発光し、ＬＥＤ４１４から出射された光によって発光板４１２が発光する。よって、発光板４１１と発光板４１２とを、別々の発光形態にすることができる。例えば、後処理ユニット４が画像形成ユニット１に対して引き出された場合に、発光板４１１を消灯し、発光板４１２を点灯することができる。したがって、発光板４１１と発光板４１２とを、それぞれ、適正な発光状態に制御することができる。
【００４３】
次に、図５（ｂ）を参照して、発光部４１の構成の他の一例について説明する。図５（ｂ）に示すように、発光部４１は、発光板４１１、及び発光板４１２に加えて、ＬＥＤ４１５、光ファイバー４１６、及び光ファイバー４１７を更に備える。ＬＥＤ４１５は、「光源」に相当する。
【００４４】
光ファイバー４１６は、ＬＥＤ４１５から出射された光を発光板４１１に伝送し、ＬＥＤ４１５から出射された光を発光板４１１に入射する。発光板４１１は、光ファイバー４１６から入射された光によって発光する。光ファイバー４１６及び発光板４１１は、「他方の導光部」に相当する。
【００４５】
光ファイバー４１７は、ＬＥＤ４１５から出射された光を発光板４１２に伝送し、ＬＥＤ４１５から出射された光を発光板４１２に入射する。発光板４１２は、光ファイバー４１７から入射された光によって発光する。光ファイバー４１７及び発光板４１２は、「一方の導光部」に相当する。
【００４６】
後処理ユニット４の状態に応じて、制御部５がＬＥＤ４１５の発光形態を決定する。具体的には、後処理ユニット４の状態に応じて、制御部５はＬＥＤ４１５の発光色、点滅、点灯及び消灯を決定する。ＬＥＤ４１５の発光形態に対応して、発光板４１１及び発光板４１２の発光形態が決定する。
【００４７】
以上、図１〜図４及び図５（ｂ）を参照して説明したように、制御部５はＬＥＤ４１５の発光色、点滅、点灯及び消灯を決定する。また、ＬＥＤ４１５からの光によって発光板４１１と発光板４１２とが発光する。よって、１つのＬＥＤ４１５によって発光板４１１と発光板４１２とを発光できる。したがって、簡素な構成で発光板４１１と発光板４１２とを発光できる。
【００４８】
また、図１〜図４及び図５（ｂ）を参照して説明したように、発光部４１は、ＬＥＤ４１５から照射される光を導く光ファイバー４１６及び光ファイバー４１７を更に備える。また、光ファイバー４１７は、発光板４１２を発光することによって、空間６を照射する。よって、発光板４１２を発光することによって、空間６での作業性を向上できる。また、光ファイバー４１６は、発光板４１１を発光することによって、画像形成装置１００の外部に向けて光を照射する。よって、ユーザーは、発光板４１１の発光形態に基づいて、後処理ユニット４の状態を認識できる。
【００４９】
次に、図１〜図６を参照して、制御部５の処理について説明する。図６は、制御部５の処理を示すフローチャートである。
【００５０】
後処理ユニット４の状態に応じて、制御部５が発光部４１の発光形態を決定する。後処理ユニット４の状態は、ステープラー４４内の針の残量がゼロであるか否か、及び後処理ユニット４内に用紙が有るか否かを更に含む。例えば、制御部５は、後処理ユニット４の状態に応じて、以下に示すように、発光部４１の発光色、点滅、点灯又は消灯を決定する。
後処理ユニット４内に用紙が有る場合：赤色で点滅。
後処理ユニット４内の針の残量がゼロである場合：黄色で点滅。
【００５１】
図６に示すように、まず、ステップＳ１０１において、制御部５は、後処理ユニット４が画像形成ユニット１に対して引き出されているか否かを判定する。
後処理ユニット４が引き出されていないと制御部５が判定した場合（ステップＳ１０１でＮＯ）には、処理がステップＳ１０９に進む。後処理ユニット４が引き出されていると制御部５が判定した場合（ステップＳ１０１でＹＥＳ）には、処理がステップＳ１０３に進む。
そして、ステップＳ１０３において、制御部５は、発光部４１を白色で点灯する。具体的には、制御部５は、ＬＥＤ４１４又はＬＥＤ４１５を白色で点灯する。
次に、ステップＳ１０５において、制御部５は、発光部４１を白色で点灯した時点から所定時間が経過したか否かを判定する。所定時間は、例えば５分である。
所定時間が経過していないと制御部５が判定した場合（ステップＳ１０５でＮＯ）には、処理がステップＳ１０１に戻る。所定時間が経過したと制御部５が判定した場合（ステップＳ１０５でＹＥＳ）には、処理がステップＳ１０７に進む。
そして、ステップＳ１０７において、制御部５は、発光部４１を白色で点滅し、処理がステップＳ１０１に戻る。具体的には、制御部５は、ＬＥＤ４１４又はＬＥＤ４１５を白色で点滅する。
【００５２】
ステップＳ１０１でＮＯの場合には、ステップＳ１０９において、制御部５は、後処理ユニット４内に用紙が有るか否かを判定する。
後処理ユニット４内に用紙が無いと判定した場合（ステップＳ１０９でＮＯ）には、処理がステップＳ１１３に進む。後処理ユニット４内に用紙が有ると判定した場合（ステップＳ１０９でＹＥＳ）には、処理がステップＳ１１１に進む。
そして、ステップＳ１１１において、制御部５は、発光部４１を赤色で点滅し、処理がステップＳ１０１に戻る。具体的には、制御部５は、ＬＥＤ４１３又はＬＥＤ４１５を赤色で点滅する。
【００５３】
ステップＳ１０９でＮＯの場合には、ステップＳ１１３において、制御部５は、ステープラー４４内の針の残量がゼロであるか否かを判定する。
ステープラー４４内の針の残量がゼロではないと制御部５が判定した場合（ステップＳ１１３でＮＯ）には、処理がステップＳ１１７に進む。ステープラー４４内の針の残量がゼロであると制御部５が判定した場合（ステップＳ１１３でＹＥＳ）には、処理がステップＳ１１５に進む。
そして、ステップＳ１１５において、制御部５は、発光部４１を黄色で点滅し、処理がステップＳ１０１に戻る。具体的には、制御部５は、ＬＥＤ４１３又はＬＥＤ４１５を黄色で点滅する。
【００５４】
ステップＳ１１３でＮＯの場合には、ステップＳ１１７において、制御部５は、後処理ユニット４が針有りステープルに設定されているか否かを判定する。
後処理ユニット４が針有りステープルに設定されていないと制御部５が判定した場合（ステップＳ１１７でＮＯ）には、処理がステップＳ１２１に進む。後処理ユニット４が針有りステープルに設定されていると制御部５が判定した場合（ステップＳ１１７でＹＥＳ）には、処理がステップＳ１１９に進む。
そして、ステップＳ１１９において、制御部５は、発光部４１を赤色で点灯し、処理がステップＳ１０１に戻る。具体的には、制御部５は、ＬＥＤ４１３又はＬＥＤ４１５を赤色で点灯する。
【００５５】
ステップＳ１１７でＮＯの場合には、ステップＳ１２１において、制御部５は、後処理ユニット４が針無ステープルに設定されているか否かを判定する。
後処理ユニット４が針無ステープルに設定されていないと制御部５が判定した場合（ステップＳ１２１でＮＯ）には、処理がステップＳ１２５に進む。後処理ユニット４が針無ステープルに設定されていると制御部５が判定した場合（ステップＳ１２１でＹＥＳ）には、処理がステップＳ１２３に進む。
そして、ステップＳ１２３において、制御部５は、発光部４１を黄色で点灯し、処理がステップＳ１０１に戻る。具体的には、制御部５は、ＬＥＤ４１３又はＬＥＤ４１５を黄色で点灯する。
【００５６】
ステップＳ１２１でＮＯの場合には、ステップＳ１２５において、制御部５は、後処理ユニット４がステープルを行わない設定であると判定し、発光部４１を青色で点灯し、処理がステップＳ１０１に戻る。具体的には、制御部５は、ＬＥＤ４１３又はＬＥＤ４１５を青色で点灯する。
【００５７】
以上、図１〜図６を参照して説明したように、本実施形態では、後処理ユニット４の状態は、後処理ユニット４内の針の残量がゼロであるか否か、及び後処理ユニット４内の用紙の有無を含む。また、後処理ユニット４の状態に応じて、制御部５は発光部４１の発光色、点滅、点灯及び消灯を決定する。よって、ユーザーは、発光部４１の発光色、点滅、点灯及び消灯に基づいて、ステープラー４４内の針の残量がゼロであるか否か、及び後処理ユニット４内の用紙の有無を認識することができる。
【００５８】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（５））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であり、特に限定されるものではなく、本発明の構成から実質的に逸脱しない範囲で種々の変更が可能である。
【００５９】
（１）図１を参照して説明したように、後処理ユニット４がステープラー４４を備えるが、本発明はこれに限定されない。後処理ユニット４が、いわゆる「後処理」を実行する形態であればよい。例えば、後処理ユニット４が、ステープル処理に換えて（又は、加えて）、パンチング処理を行う形態でもよい。
【００６０】
（２）図３〜図５を参照して説明したように、発光部４１が発光板４１１及び発光板４１２を備えるが、本発明はこれに限定されない。発光部４１が画像形成装置１００の外部に光を照射する形態であればよい。例えば、発光部４１がＬＥＤのみで構成される形態でもよい。この形態では、発光部４１の構成を簡素化できる。
【００６１】
（３）図３〜図５を参照して説明したように、発光板４１１が後処理ユニット４における用紙の搬送方向の後端側に配置されるが、本発明はこれに限定されない。発光板４１１が外部に光を照射する形態であればよい。例えば、発光板４１１が後処理ユニット４における用紙の搬送方向の先端側に配置される形態でもよい。
【００６２】
（４）図１〜図６を参照して説明したように、後処理ユニット４の状態が、３つの形態（針有りステープルを行う設定であるか、針無しステープルを行う設定であるか、及びステープルを行わない設定であるか）の全てを含むが、本発明はこれに限定されない。後処理ユニット４の状態が、３つの状態の少なくとも１つを含む形態であればよい。
【００６３】
（５）図１〜図６を参照して説明したように、後処理ユニット４の状態が、３つの状態（ステープラー４４内の針の残量がゼロであるか否か、後処理ユニット４内に用紙が有るか否か、及び後処理ユニット４が引き出されているか否か）の全てを含むが、本発明はこれに限定されない。後処理ユニット４の状態が、３つの状態の少なくとも１つを含む形態であればよい。
【産業上の利用可能性】
【００６４】
本発明は、画像形成装置に関するものであり、産業上の利用可能性を有する。
【符号の説明】
【００６５】
１００    画像形成装置
１    画像形成ユニット（画像形成部）
１１    操作表示部
１１１    タッチパネル
１２    排出部
２    画像読取ユニット（画像読取部）
３    原稿搬送ユニット
４    後処理ユニット
４１    発光部
４１１、４１２    発光板（導光部の一部）
４１３、４１４、４１５    ＬＥＤ
４１６、４１７    光ファイバー（導光部の一部）
４２    給送口
４３    排出トレイ
４４    ステープラー
５    制御部
６    空間
【図１】
2018060116.tif 000003
【図２】
2018060116.tif 000004
【図３】
2018060116.tif 000005
【図４】
2018060116.tif 000006
【図５】
2018060116.tif 000007
【図６】
2018060116.tif 000008